(57)【要約】【課題】  競技者、審判員および観客にとって分かり易いコート作りが可能で、複数種のスポーツ、特に新種のスポーツのコートも容易に作成可能なライン表示装置の提供。【解決手段】  帯状発色部１は、透明または床面と同色の熱発色性塗料が格子状に塗布されて配置される。設定器３は、前記格子の交点間で特定される格子線の内、複数の格子線を指定可能である。発熱体２は、帯状発色部の裏面に沿って配置され、通電により発熱する電熱材から構成され、設定器からの出力に基づき、その指定された箇所に対応した帯状発色部を加熱して発色させる。【選択図】      図１
2005304805.tif 000002
【特許請求の範囲】
【請求項１】
床面に格子状に配置される熱発色性の帯状発色部と、
前記格子の交点間で特定される格子線の内、複数の格子線を指定可能な設定器と、
前記帯状発色部の裏面に沿って配置され、前記設定器からの出力に基づき、その指定された箇所に対応した前記帯状発色部を加熱して発色させる発熱体と
を備えることを特徴とするライン表示装置。
【請求項２】
前記帯状発色部は、透明または床面と同色の熱発色性塗料が塗布されて設けられ、
前記発熱体は、通電により発熱する電熱材から構成され、前記設定器の設定に基づき通電箇所が変更される
ことを特徴とする請求項１に記載のライン表示装置。
【請求項３】
前記帯状発色部の発色幅を変更可能とされた
ことを特徴とする請求項１または請求項２に記載のライン表示装置。
【請求項４】
前記帯状発色部および前記発熱体は、床面に敷かれるシートに設けられている
ことを特徴とする請求項１から請求項３までのいずれかに記載のライン表示装置。
【請求項５】
体育館などの屋内施設の床に設けられ、
複数種のスポーツのコートを選択的に発色表示可能とされた
ことを特徴とする請求項１から請求項４までのいずれかに記載のライン表示装置。
【請求項６】
スポーツのコートを複数個同時に、互いに重ならない位置に発色表示可能とされた
ことを特徴とする請求項５に記載のライン表示装置。
【請求項７】
前記設定器は、前記スポーツのコートを表示するため複数の設定内容が予め登録されると共に、その設定内容の内のいずれかが選択されることで、その選択された設定内容に基づき前記発熱体の加熱箇所を変更可能とされた
ことを特徴する請求項５または請求項６に記載のライン表示装置。
【請求項８】
複数種のスポーツのコートを表示可能に床面に設けられた熱発色性の帯状発色部と、
前記複数種のスポーツの内のいずれかが指定される設定器と、
前記帯状発色部の裏面に沿って配置され、前記設定器の設定内容に基づき、その指定されたスポーツ種別のコートに対応した部分の前記帯状発色部を加熱して発色させる発熱体と
を備えることを特徴とするライン表示装置。
【発明の詳細な説明】
【技術分野】
【０００１】
本発明は、主として、体育館の床面にスポーツコートを表示するためのライン表示装置に関するものである。
【背景技術】
【０００２】
体育館でコートを使用するスポーツとして、代表的なものだけでも、バレーボール、バスケットボール、テニス、バドミントンなどが挙げられる。従来、体育館の床には、これらの複数種のスポーツコートを識別するために、白色だけでは見分けにくいので、黄色、緑色、赤色など、ラインの色を変えてそれぞれ塗料やビニールラインなどで描かれている。
【発明の開示】
【発明が解決しようとする課題】
【０００３】
しかしながら、このように体育館の床面に多数のラインが表示されていると、同色は勿論、異色を用いた場合でも、スポーツ競技の上で様々な不具合が生じていた。例えば、白色でバレーコートのラインを引き、他のスポーツのコートにそれぞれ異なった色を用いた場合、バレーボールの競技者が白以外のラインに目を奪われて競技に集中し難いという問題があった。また、競技者自身だけでなく、審判員も判定を誤る危険があり、さらに観客にとっても分かりにくかった。
【０００４】
さらに、近時、生涯スポーツが奨励される傾向にあり、屋内スポーツの種類も増えてきている。これに伴い、多色のラインが増加するので、床面のラインがさらに錯綜するという不具合があった。また、スポーツの種類の増加に伴い、従来のスポーツとは全く異なるコート作りが必要とされてきており、その実施の度に、ビニールラインを新たに床面に付着させなければならず、多大な手間と労力、およびコストを強いるものであった。また、このような新しいスポーツコート作りには計測経験も要し、手間がかかることから、普及の大きな障壁でもあった。
【０００５】
本発明は、上記事情に鑑みてなされたものであり、その主たる目的は、複数種のスポーツ、特に新種のスポーツのコート作成にも容易に対応可能で、スポーツ競技者、審判員および観客にとって分かり易いライン表示が可能なライン表示装置を提供することにある。
【課題を解決するための手段】
【０００６】
本発明のライン表示装置は、床面に格子状に配置される熱発色性の帯状発色部と、前記格子の交点間で特定される格子線の内、複数の格子線を指定可能な設定器と、前記帯状発色部の裏面に沿って配置され、前記設定器からの出力に基づき、その指定された箇所に対応した前記帯状発色部を加熱して発色させる発熱体とを備えることを特徴とする。
【０００７】
また、好ましくは上記構成に加えて、前記帯状発色部は、透明または床面と同色の熱発色性塗料が塗布されて設けられ、前記発熱体は、通電により発熱する電熱材から構成され、前記設定器の設定に基づき通電箇所が変更されることを特徴とするライン表示装置である。
【０００８】
また、好ましくは上記いずれかの構成に加えて、前記帯状発色部の発色幅を変更可能とされたことを特徴とするライン表示装置である。
【０００９】
また、上記いずれかの構成に加えて、前記帯状発色部および前記発熱体は、床面に敷かれるシートに設けられていることを特徴とするライン表示装置としてもよい。
【００１０】
また、好ましくは上記いずれかの構成に加えて、体育館などの屋内施設の床に設けられ、複数種のスポーツのコートを選択的に発色表示可能とされたことを特徴とするライン表示装置である。
【００１１】
また、好ましくは上記構成に加えて、スポーツのコートを複数個同時に、互いに重ならない位置に発色表示可能とされたことを特徴とするライン表示装置である。
【００１２】
また、好ましくは上記構成に加えて、前記設定器は、前記スポーツのコートを表示するため複数の設定内容が予め登録されると共に、その設定内容の内のいずれかが選択されることで、その選択された設定内容に基づき前記発熱体の加熱箇所を変更可能とされたことを特徴するライン表示装置である。
【００１３】
さらに、本発明のライン表示装置は、複数種のスポーツのコートを表示可能に床面に設けられた熱発色性の帯状発色部と、前記複数種のスポーツの内のいずれかが指定される設定器と、前記帯状発色部の裏面に沿って配置され、前記設定器の設定内容に基づき、その指定されたスポーツ種別のコートに対応した部分の前記帯状発色部を加熱して発色させる発熱体とを備えることを特徴とする。
【発明の効果】
【００１４】
本発明のライン表示装置によれば、所望のラインを選択して表示可能であるから、スポーツコートに適用すれば、スポーツ競技者、審判員および観客にとって分かり易いコート作りが可能である。さらに、複数種のスポーツ、特に新種のスポーツのコートも容易に作成可能であり、これらスポーツの普及に貢献できる。
【発明を実施するための最良の形態】
【００１５】
以下、本発明のライン表示装置について、図面に基づき更に詳細に説明する。
図１は、本発明のライン表示装置の一実施例の概略構成を示す説明図である。図２は、本実施例が適用された体育館の床面を示す概略平面図である。
【００１６】
本実施例のライン表示装置は、熱発色性（温度発色性）の帯状発色部１と、この帯状発色部１を加熱して発色させる発熱体２と、この発熱体２の発熱箇所を設定する設定器３とを主要部として備える。
【００１７】
本実施例の帯状発色部１は、図２に示すように、体育館の床面（Ｆ）に格子状に設けられている。図２では、縦に１０行、横に１０列、帯状に発色部１を設けた例を示しているが、これら行や列の数は適宜に増減されることは言うまでもない。また、図示例では、行と列の双方が同じ間隔で等間隔に配置しているが、行と列とで異なる間隔としたり、一部または全部の間隔が不均一な格子状としたりできる。
【００１８】
本実施例の帯状発色部１は、熱発色性（温度発色性）を有している。すなわち、常温では発色しないが、所定温度まで加熱された場合にのみ発色する性質を有する素材により形成されている。本実施例では、熱発色性塗料（温度発色塗料）を塗布して構成している。この際、常温では、透明または床面と同色のものが好ましい。
【００１９】
図１に示すように、帯状発色部１の底面には、帯状発色部１を加熱して発色させるための発熱体２が設けられている。つまり、前記熱発色性塗料１は、帯状の発熱体２の上面に塗られることになる。本実施例の発熱体２は、通電により発熱する電熱材から構成される。発熱体２は、床の表面、底面、または内部に設けることができる。この際、床の表面から上方へ突出しないように設けるのがよい。
【００２０】
発熱体２は、格子線（前記格子を構成する線）の交点間で特定される線ごとに、発熱の有無を切り替え可能に構成されている。これは、前記電熱材２への通電箇所を変更することで達成することができる。従って、前記格子線の特定箇所のみを発熱させて、それに対応した帯状発色部１を発色させることができる。
【００２１】
このような発熱箇所の設定のために、ライン表示装置には設定器３が備えられている。本実施例の設置器３は、パソコン３ａとそれに接続された発熱箇所制御部３ｂとから構成される。パソコン３ａは、中央処理装置や記憶装置を備えるパソコン本体、キーボードやマウスなどの入力装置、ディスプレイなどの出力装置を備える一般的なパーソナルコンピュータであり、発熱箇所を設定可能に、所定のプログラムがインストールされている。
【００２２】
この所定プログラムを起動すると、ディスプレイ上には、図２と対応した格子が表示される。そして、格子線の内、発色表示させたい部分の指定が可能である。この指定は、格子線の交点座標により特定される。二つの交点座標で直線が特定されるので、そのような直線を複数指定することで、所望のスポーツコートなどを描くことができる。図示例では、３ｂ−３ｈ、７ｂ−７ｈ、３ｂ−７ｂ、３ｅ−７ｅ、３ｈ−７ｈの五本の線を指定した例を示している。
【００２３】
そして、これら座標情報は、パソコン３ａから発熱箇所制御部３ｂに出力される。発熱箇所制御部３ｂは、パソコン３ａからの座標情報に基づいて、実際の発熱体２の内、対応する箇所の発熱体２に電流を流して発熱させる。このように、パソコン３ａおよび発熱箇所制御部３ｂからなる設定器３は、格子線の交点座標の入力を受け、その座標情報に基づいて、対応する箇所の発熱体２を発熱させる。
【００２４】
本実施例のライン表示装置によれば、設定器３にて設定されたラインのみを発色表示させることができる。そして、発色されない部分は、透明または床面と同色としておくことで、スポーツの競技者、審判員および観客にとって、コートの範囲が非常に分かり易いものとなる。また、指定する格子線を変更するだけで、新しいスポーツのコートにも容易に対応することができる。
【００２５】
なお、本発明のライン表示装置は、上記実施例の構成に限らず、適宜変更可能である。
例えば、前記実施例では、床面に熱発色性塗料を塗布した例について説明したが、前記帯状発色部１および前記発熱体２は、床面Ｆに敷かれるシートに設けてもよい。
【００２６】
また、上記実施例では、一つのコートだけを表示させた例を示したが、同時に二以上のコートを表示させてもよい。その際、それらコートが互いに重ならない位置に発色表示させる。
【００２７】
また、前記実施例では、帯状発色部１を格子状にのみ配置した例を示したが、所望部分に円弧などを用いて、バスケットボールなどのコートに対応可能である。さらに、前記実施例では、複数の交点座標の組合せで発色部を指定する例について説明したが、これら組合せを予めパソコン内にスポーツ種別ごとに記憶させておき、スポーツ種別の指定だけで発色制御するようにしてもよい。
【００２８】
また、新スポーツなどに容易に対応するために、コートを描くための前記座標情報は、サーバからダウンロード可能にしてもよい。この場合、サーバには、スポーツの種別ごとに、そのスポーツのコートを描くための交点座標の組合せが登録されている。そして、前記パソコン（端末）は、インターネットなどを介して、サーバと双方向通信可能とされている。従って、パソコンからサーバにアクセスし、複数のスポーツ種別から所望のスポーツ種別を選択する。この選択要求を受けたサーバは、それに対応した座標情報の組合せを記憶手段から取得してパソコンへ送信する。よって、それを受信したパソコンにおいて、実際のライン表示に利用できる。
【００２９】
また、前記実施例では、複数の格子線でコートを形成したが、現状の体育館の床面のように、予め複数種のスポーツのコートを帯状発色部１で描いておき、設定器３で選択されたいずれかのコートのみを発色表示させるようにしてもよい。
【００３０】
また、前記実施例では、設定器３をパソコン３ａと所定制御部３ｂとで構成したが、これらはスイッチ群により構成してもよい。そして、そのスイッチは、体育館の壁などに取付けておき、スポーツ種別などを切り替えることで、所望スポーツのコートのみを発色表示させるよう構成することができる。
【００３１】
また、前記発熱体２の幅方向の発熱箇所を可変に構成することなどにより、前記帯状発色部１の発色幅を変更可能とすることができる。
【００３２】
さらに、前記実施例では、体育館の床面にスポーツコートを描く例について説明したが、その他の施設にも適用可能であるし、イベントなどに必要な各種表示を各種の箇所に表示するのに利用するよう応用することもできる。
【図面の簡単な説明】
【００３３】
【図１】本発明のライン表示装置の一実施例の概略構成を示す説明図である。
【図２】図１のライン表示装置が適用された体育館の床面を示す概略平面図である。
【符号の説明】
【００３４】
１  帯状発色部（熱発色性塗料）
２  発熱体（電熱材）
３  設定器
３ａ  パソコン
３ｂ  発熱箇所制御部
【図１】
2005304805.tif 000003
【図２】
2005304805.tif 000004